(57)【要約】【課題】対象物に接触されることで前記対象物の温度を感知する温度感知素子において、少なくとも２点の温度における温度変化を感知可能な温度感知素子を提供すること目的とする。【解決手段】本発明の温度感知素子は、対象物に接触されることで前記対象物の温度を感知する温度感知素子において、前記対象物に接触可能な第１部材と、前記第１部材より感知温度が高い第２部材とを備え、前記第１部材と前記第２部材とが重なる重複面の面積が、前記第１部材が前記対象物に接触する接触面の面積より小さいことを特徴とする。【選択図】図１
2014142250.tif 000002
【特許請求の範囲】
【請求項１】
対象物の温度変化に応じて表示状態が変化することで前記対象物の温度を感知する温度感知素子において、
前記対象物に接触可能な第１部材と、前記第１部材より感知温度が高い第２部材とを備え、前記第１部材と前記第２部材とが重なる重複面の面積が、前記第１部材が前記対象物に接触する接触面の面積より小さいことを特徴とする温度感知素子。
【請求項２】
前記接触面および前記重複面を前記接触面に投影した投影面の一方は、前記他方の内方に形成されることを特徴とする請求項１に記載の温度感知素子。
【請求項３】
前記第１部材は、ポリシロキサン樹脂と第１のアルカンとの混合物として形成されており、前記第２部材は、前記ポリシロキサン樹脂と前記第１のアルカンより融点の高い第２のアルカンとの混合物として形成されていることを特徴とする請求項１または請求項２に記載の温度感知素子。
【請求項４】
前記ポリシロキサン樹脂は、カゴ状化合物である有機ケイ素化合物と環状化合物であるフッ素含有有機ケイ素化合物とを含むことを特徴とする請求項３に記載の温度感知素子。
【請求項５】
前記フッ素含有有機ケイ素化合物がパーフルオロアルキル基を有することを特徴とする請求項４に記載の温度感知素子。
【請求項６】
前記ポリシロキサン樹脂はシルセスキオキサンを含むことを特徴とする請求項３から請求項５のいずれか１項に記載の温度感知素子。
【請求項７】
前記第２部材より感知温度が高い第３部材を備え、前記第２部材と前記第３部材とが重なる面の面積は、前記重複面の面積より小さいことを特徴とする請求項１から請求項６のいずれか１項に記載の温度感知素子。
【発明の詳細な説明】
【技術分野】
【０００１】
ポリシロキサン樹脂を含む温度感知素子に関する。
【背景技術】
【０００２】
ある物体の温度環境を記録、表示するサーモラベルがある。嗜好品のお茶やコーヒーや酒などは人それぞれに最適の液温を持っている、その温度で飲んだときに最も美味しいと感ずる。しかしその最適の温度はカップに口をつけるまで分からず、場合によっては舌を火傷することも少なくない。
【０００３】
また幼児や食事の介護を必要とする病人や老人などにも最適な温度で美味しく飲食するために、温度表示をわかりやすくした温度表示カップを提供することを目的とする。しかしながら、従来のサーモラベルはほとんどのものが不可逆性であり、繰り返し使用ができないため、その都度交換しなければならず無駄が多かった。また水やお湯に浸漬すると着脱したりして使えなくなるなどの問題があった。この問題は、可逆性を要するサーモラベルに防水性のカバーを貼設することで解決することが特許文献１に記載されている。
【先行技術文献】
【特許文献】
【０００４】
【特許文献１】特開２００５−１１０８２５号公報
【発明の概要】
【発明が解決しようとする課題】
【０００５】
しかしながら、上述の方法ではサーモラベルを貼り付けた状態で複数の温度変化の状態を表示しにくいというおそれがあった。
【０００６】
本発明は、上述した問題点を解決するためになされたものであり、その目的とする所は、少なくとも２点の温度における温度変化を感知可能な温度感知素子を提供することにある。
【課題を解決するための手段】
【０００７】
上記目的を達成するため、本発明の温度感知素子は、対象物の温度変化に応じて表示状態が変化することで前記対象物の温度を感知する温度感知素子において、前記対象物に接触可能な第１部材と、前記第１部材より感知温度が高い第２部材とを備え、前記第１部材と前記第２部材とが重なる重複面の面積が、前記第１部材が前記対象物に接触する接触面の面積より小さいことを特徴とする。このことにより、２点の温度での変化を検知可能となる。
【０００８】
また、本発明の温度感知素子は、前記接触面および前記重複面を前記接触面に投影した投影面の一方が、前記他方の内方に形成されることを特徴とする。従って、温度変化による融点を境とした物性変化により、その物性変化が面積変化として検知可能となり、その検知状態を容易に可視表示できるようになる。
【０００９】
また、本発明の温度感知素子は、前記第１部材が、ポリシロキサン樹脂と第１のアルカンとの混合物として形成されており、前記第２部材が、前記ポリシロキサン樹脂と前記第１のアルカンより融点の高い第２のアルカンとの混合物として形成されていることを特徴とする。したがって、アルカンの融点より、温度が高ければ透明に、低ければ白濁するが、可逆変化のため、繰り返し使用可能となる。
【００１０】
また、本発明の温度感知素子は、前記ポリシロキサン樹脂が、カゴ状化合物である有機ケイ素化合物と環状化合物であるフッ素含有有機ケイ素化合物とを含むことを特徴とする。これにより、可撓性に優れる温度感知素子を得ることができる。
【００１１】
また、本発明の温度感知素子は、前記ポリシロキサン樹脂がシルセスキオキサンを含むことを特徴とするこれにより、耐候性がよく、透明性に優れる温度感知素子を得ることができる。
【００１２】
また、本発明の温度感知素子は、前記フッ素含有有機ケイ素化合物がパーフルオロアルキル基を有することを特徴とする。これにより、撥水効果を付与した温度感知素子を得ることができる。
【００１３】
また、本発明の温度感知素子は、前記第２部材より感知温度が高い第３部材を備え、前記第２部材と前記第３部材とが重なる面の面積は、前記重複面の面積より小さいことを特徴とする。これにより、温度感知状態の可視化を更に細分化することができる。よって、連続的な温度変化を把握することができるようになる。
【発明の効果】
【００１４】
本発明によれば、表示が可逆性であり、繰り返し使用が可能であり、少なくとも２箇所における温度変化を検知可能な温度感知素子を提供できる。
【図面の簡単な説明】
【００１５】
【図１】本発明に関する温度感知素子の一例を示す上面図である。
【図２】本発明に関する温度感知素子の一例を示す断面図である。
【発明を実施するための形態】
【００１６】
本発明に係る温度感知素子（温度感知エレメント、サーモラベル）の各部材は、ポリシロキサン樹脂である下記の一般式（１）で表されるシルセスキオキサンおよび／またはその重合体からなる有機ケイ素化合物と、同じくポリシロキサン樹脂である下記の一般式（２）で表されるシルセスキオキサンおよび／またはその重合体からなるフッ素含有有機ケイ素化合物と、下記の一般式（３）で表されるアルカンものを含むものである。
【００１７】
（Ｒ1ＳｉＯ1.5）n  ・・・（１）
（Ｒ2ＳｉＯ1.5）n  ・・・（２）
ＣnＨ2n+2・・・（３）
（但し、上記の一般式（１）中、ｎは４〜１８の整数、複数のＲ1は、同一または異なっており、直接結合、ハロゲン置換基を有していてもよい炭素数１〜２０のアルキレン基、炭素数５〜１２のシクロアルキレン基、エーテル結合を含有する炭素数１〜２０の２価の炭化水素基、エステル結合を含有する炭素数１〜２０の２価の炭化水素基、および、置換基を有していてもよいオルガノシロキシ基を含有する炭素数１〜１２の２価の炭化水素基からなる群から選択された少なくとも１種である。上記の一般式（２）中、ｎは４〜１８の整数、複数のＲ2は、同一または異なっており、炭素数１〜２０のアルキル基、直接結合、ハロゲン置換基を有していてもよい炭素数１〜２０のアルキレン基、炭素数５〜１２のシクロアルキレン基、エーテル結合を含有する炭素数１〜２０の２価の炭化水素基、エステル結合を含有する炭素数１〜２０の２価の炭化水素基、および、置換基を有していてもよいオルガノシロキシ基を含有する炭素数１〜１２の２価の炭化水素基からなる群から選択された少なくとも１種であって、少なくとも１つのＲ2が、フッ素、炭素数５〜１８のアルキル基の水素がフッ素に置換された置換基、または、パーフルオロアルキル基からなる群より選ばれる少なくとも１つである。）上記の一般式（３）中、ｎは６〜４０の整数である。
【００１８】
上記の一般式（１）で表されるシルセスキオキサンは、一般式ＳｉＲ1（ＯＲ1）3で表されるトリアルコキシシランを、下記の化学反応式（４）に従って重合してなるカゴ状化合物である。なお、複数のＲ1は、同一であっても、異なっていてもよい。
【００１９】
【化１】
2014142250.tif 000003
【００２０】
炭素数１〜２０のアルキル基としては特に限定されず、例えば、メチル基、エチル基、プロピル基、イソプロピル基、ブチル基、ペンチル基、ヘキシル基などが挙げられる。
ハロゲンとしては特に限定されず、例えば、塩素（Ｃｌ）、フッ素（Ｆ）などが挙げられる。
【００２１】
炭素数１〜２０のアルキレン基としては特に限定されず、例えば、メチレン基、エチレン基、トリメチレン基、テトラメチレン基などが挙げられる。
炭素数５〜１２のシクロアルキレン基としては特に限定されず、例えば、シクロペンチレン基、シクロヘキシレン基、ノルボルニレン基、トリシクロドデシレン基などが挙げられる。
【００２２】
エステル結合を含有する炭素数１〜２０の２価の炭化水素基としては特に限定されず、例えば、−（Ｃ＝Ｏ）−Ｏ−ＣＨ2−、−（Ｃ＝Ｏ）−Ｏ−（ＣＨ2）2−、−ＣＨ2−（Ｃ＝Ｏ）−、−（ＣＨ2）2−（Ｃ＝Ｏ）−Ｏ−、−（ＣＨ2）2−（Ｃ＝Ｏ）−Ｏ−（ＣＨ2）2−などが挙げられる。
【００２３】
置換基を有していてもよいオルガノシロキシ基を含有する炭素数１〜１２の２価の炭化水素基としては特に限定されず、例えば、メチレン基、エチレン基、トリメチレン基、テトラメチレン基などに置換基を有していてもよいオルガノシロキシ基が結合した基などが挙げられる。
【００２４】
このようなシルセスキオキサンからなる有機ケイ素化合物としては、例えば、下記の化学式（４）で表されるｎ−オクチルトリエトキシシラン（ＯＴＥＳ）、ドデシルトリエトキシシラン、ドデシルトリメトキシシラン、オクタデシルトリメトキシシラン、ヘキシルトリメトキシシラン、オクタデシルトリメトキシシラン、ペンチルトリエトキシシランおよびトリメトキシ（プロピル）シランからなる群より選択される少なくとも１種が挙げられる。
【００２５】
また、シルセスキオキサンの重合体からなる有機ケイ素化合物としては、例えば、下記の化学式（５）で表されるｎ−オクチルトリエトキシシラン（ＯＴＥＳ）、ドデシルトリエトキシシラン、ドデシルトリメトキシシラン、オクタデシルトリメトキシシラン、ヘキシルトリメトキシシラン、オクタデシルトリメトキシシラン、ペンチルトリエトキシシランおよびトリメトキシ（プロピル）シランからなる群より選択される少なくとも１種を重合してなるものが挙げられる。
【００２６】
【化２】
2014142250.tif 000004
【００２７】
上記の一般式（２）で表されるシルセスキオキサンは、一般式ＳｉＲ2（ＯＲ2）3で表されるトリアルコキシシランを、上記の化学反応式（４）に従って重合してなる環状化合物である。なお、複数のＲ2は、同一であっても、異なっていてもよい。
【００２８】
炭素数１〜２０のアルキル基としては特に限定されず、例えば、メチル基、エチル基、プロピル基、イソプロピル基、ブチル基、ペンチル基、ヘキシル基などが挙げられる。
ハロゲンとしては特に限定されず、例えば、塩素、フッ素などが挙げられる。
【００２９】
炭素数１〜２０のアルキレン基としては特に限定されず、例えば、メチレン基、エチレン基、トリメチレン基、テトラメチレン基などが挙げられる。
炭素数５〜１２のシクロアルキレン基としては特に限定されず、例えば、シクロペンチレン基、シクロヘキシレン基、ノルボルニレン基、トリシクロドデシレン基などが挙げられる。
【００３０】
エステル結合を含有する炭素数１〜２０の２価の炭化水素基としては特に限定されず、例えば、−（Ｃ＝Ｏ）−Ｏ−ＣＨ2−、−（Ｃ＝Ｏ）−Ｏ−（ＣＨ2）2−、−ＣＨ2−（Ｃ＝Ｏ）−、−（ＣＨ2）2−（Ｃ＝Ｏ）−Ｏ−、−（ＣＨ2）2−（Ｃ＝Ｏ）−Ｏ−（ＣＨ2）2−などが挙げられる。
【００３１】
置換基を有していてもよいオルガノシロキシ基を含有する炭素数１〜１２の２価の炭化水素基としては特に限定されず、例えば、メチレン基、エチレン基、トリメチレン基、テトラメチレン基などに置換基を有していてもよいオルガノシロキシ基が結合した基などが挙げられる。
【００３２】
炭素数５〜１８のアルキル基の水素がフッ素に置換された置換基としては、例えば、ＣＦ3（ＣＦ2）5ＣＨ2ＣＨ2−、ＣＦ3（ＣＦ2）2ＣＨ2ＣＨ2−、ＣＦ3（ＣＦ2）7ＣＨ2ＣＨ2−、ＣＦ3ＣＨ2ＣＨ2−などが挙げられる。
【００３３】
パーフルオロアルキル基は、ＣＦ3（ＣＦ2）n−で表される。パーフルオロアルキル基としては特に限定されず、ｎが１〜２０の整数からなるものが挙げられる。パーフルオロアルキル基の起源となる化合物としては、例えば、トリエトキシフルオロシランが挙げられる。
【００３４】
このようなシルセスキオキサンからなるフッ素含有有機ケイ素化合物としては、例えば、下記の化学式（５）で表されるトリエトキシフルオロシラン（Ｆ１ＴＥＳ）、下記の化学式（６）で表されるトリエトキシ−１Ｈ，１Ｈ，２Ｈ，２Ｈ−トリデカフルオロ−ｎ−オクチルシラン（Ｆ１３ＴＥＳ）、トリメトシキ（３，３，３−トリフルオロプロピル）シラン、１Ｈ，１Ｈ，２Ｈ，２Ｈ−パーフルオロオクチルトリエトシキシラン、１Ｈ，１Ｈ，２Ｈ，２Ｈ−パーフルオロデシルトリエトキシシランおよび１Ｈ，１Ｈ，２Ｈ，２Ｈ−パーフルオロオクチルトリメトキシシランからなる群より選択される少なくとも１種が挙げられる。
【００３５】
また、シルセスキオキサンの重合体からなるフッ素含有有機ケイ素化合物としては、例えば、下記の化学式（６）で表されるトリエトキシフルオロシラン（Ｆ１ＴＥＳ）、下記の化学式（７）で表されるトリエトキシ−１Ｈ，１Ｈ，２Ｈ，２Ｈ−トリデカフルオロ−ｎ−オクチルシラン（Ｆ１３ＴＥＳ）、トリメトシキ（３，３，３−トリフルオロプロピル）シラン、１Ｈ，１Ｈ，２Ｈ，２Ｈ−パーフルオロオクチルトリエトシキシラン、１Ｈ，１Ｈ，２Ｈ，２Ｈ−パーフルオロデシルトリエトキシシランおよび１Ｈ，１Ｈ，２Ｈ，２Ｈ−パーフルオロオクチルトリメトキシシランからなる群より選択される少なくとも１種を重合してなるものが挙げられる。本発明に係る温度感知素子では、フッ素含有有機ケイ素化合物としては、トリエトキシフルオロシラン、トリエトキシ−１Ｈ，１Ｈ，２Ｈ，２Ｈ−トリデカフルオロ−ｎ−オクチルシラン（Ｆ１３ＴＥＳ）、トリメトシキ（３，３，３−トリフルオロプロピル）シラン、１Ｈ，１Ｈ，２Ｈ，２Ｈ−パーフルオロオクチルトリエトシキシラン、１Ｈ，１Ｈ，２Ｈ，２Ｈ−パーフルオロデシルトリエトキシシランおよび１Ｈ，１Ｈ，２Ｈ，２Ｈ−パーフルオロオクチルトリメトキシシランからなる群より選択される少なくとも１種を重合してなるものが好ましい。
【００３６】
【化３】
2014142250.tif 000005
【００３７】
【化４】
2014142250.tif 000006
【００３８】
また、フッ素含有有機ケイ素化合物は、上記の一般式（２）で表されるシルセスキオキサンの重合体であってもよい。例えば、一般式ＳｉＲ2（ＯＲ2）3で表されるトリアルコキシシランと、一般式ＳｉＲ32（ＯＲ3）2で表されるジアルコキシシランとを重合させてなる重合体であってもよい。
【００３９】
但し、上記の一般式ＳｉＲ32（ＯＲ3）2中、複数のＲ3は、同一または異なっており、直接結合、ハロゲン置換基を有していてもよい炭素数１〜２０のアルキレン基、炭素数５〜１２のシクロアルキレン基、エーテル結合を含有する炭素数１〜２０の２価の炭化水素基、エステル結合を含有する炭素数１〜２０の２価の炭化水素基、および、置換基を有していてもよいオルガノシロキシ基を含有する炭素数１〜１２の２価の炭化水素基からなる群から選択された少なくとも１種である。
【００４０】
このような重合体は、下記の化学反応式（８）に従って重合されたものであり、例えば、下記の化学式（９）で表されるものが挙げられる。
【００４１】
【化５】
2014142250.tif 000007
【００４２】
【化６】
2014142250.tif 000008
【００４３】
本発明に係る温度感知素子は、このような一般式（１）で表されるシルセスキオキサンからなる有機ケイ素化合物と、一般式（２）で表されるシルセスキオキサンおよび／またはその重合体からなるフッ素含有有機ケイ素化合物とを含み、カゴ状化合物の有機ケイ素化合物の間に、環状化合物のフッ素含有有機ケイ素化合物がランダムに介在した構造をなしているものであり、その中に一般式（３）で表されるアルカンが介在する構造である。
【００４４】
本発明に係る温度感知素子では、シルセスキオキサンの架橋物を形成するために、硬化剤を用いてもよい。
このような硬化剤としては、例えば、メチルヘキサヒドロ無水フタル酸、ヘキサヒドロ無水フタル酸、ノルボルナン−２，３−ジカルボン酸無水物、メチルノルボルナン−２，３−ジカルボン酸無水物などが挙げられる。
【００４５】
本発明においては、シルセスキオキサンの架橋物を形成するために、硬化剤とともに硬化触媒を用いてもよい。
このような硬化触媒としては、４級ホスホニウム塩、例えば、テトラフェニルホスホニウムブロミド、テトラブチルホスホニウムブロミド、メチルトリフェニルホスホニウムブロミド、エチルトリフェニルホスホニウムブロミド、ｎ−ブチルトリフェニルホスホニウムブロミドなどが挙げられる。
【００４６】
本発明に係る温度感知素子には、本発明の効果を損なわない限り、種々の添加剤を配合することができる。
このような添加剤としては、シランカップリング剤、ヒンダードアミン系光安定化剤、ヒンダードフェノール系酸化防止剤などが挙げられる。
【００４７】
シランカップリングとしては、例えば、γ−グリシドキシプロピルトリメトキシシラン、γ−グリシドキシプロピルトリエトキシシラン、β−（３，４−エポキシシクロヘキシル）エチルトリメトキシシラン、β−（３，４−エポキシシクロヘキシル）エチルトリエトキシシラン、ビルニトリメトキシシラン、ビルニトリエトキシシランなどが挙げられる。
【００４８】
ヒンダードアミン系光安定化剤としては、例えば、ＴＩＮＵＶＩＮ（登録商標）７７０、ＴＩＮＵＶＩＮ（登録商標）６２２ＬＤ（いずれもチバスペシャルティーケミカルズ社製）、アデカスタブ（登録商標）ＬＡ−５７（旭電化工業社製）などが挙げられる。
【００４９】
ヒンダードフェノール系酸化防止剤としては、例えば、ＩＲＧＡＮＯＸ（登録商標）１０１０（チバスペシャルティーケミカルズ社製）、ノクラックＮＳ−３０（商品名）（大内新興化学工業社製）、トミノックスＴＴ（商品名）（吉豊ファインケミカル社製）などが挙げられる。
【００５０】
本発明に係る温度感知素子は、上記の一般式（１）で表されるシルセスキオキサンおよび／またはその重合体からなる有機ケイ素化合物と、上記の一般式（２）で表されるシルセスキオキサンおよび／またはその重合体からなるフッ素含有有機ケイ素化合物とを含んでいるので、カゴ状化合物の有機ケイ素化合物の間に、環状化合物のフッ素含有有機ケイ素化合物がランダムに介在した構造をなし、カゴ状化合物の間に、弾性を示す環状化合物が存在するので、本発明に係る温度感知素子を硬化してなる硬化物（封止材）は、可撓性に優れたものとなる。したがって、本発明に係る温度感知素子により、厚膜形成やバルク形成を行っても、クラックが発生することを防止できる。また、本発明明に係る温度感知素子は、所望の形状に成形したり、キャビティなどの凹部に充填したりすることができる。しかも、有機ケイ素化合物およびフッ素含有有機ケイ素化合物がシルセスキオキサンからなるので、本発明に係る温度感知素子を硬化してなる硬化物（封止材）は、高温高湿状態にも適用しやすい耐候性に優れ、および／または、紫外線に強い耐光性に優れたものとなる。また、かかる温度感知素子のみで防水性を確保することができるようになる。よって、温度感知素子を高湿雰囲気や液中などにも配置しやすくなり、利便性が向上する。
【００５１】
また、フッ素含有有機ケイ素化合物がパーフルオロアルキル基を有していれば、本発明に係る温度感知素子を硬化してなる硬化物の撥水性や耐透湿性が向上するとともに、前記の硬化物（封止材）のタック性を消失させて、前記の硬化物（封止材）に塵や埃などが付着することを防止し、結果として、汚れを防止できる。
【００５２】
次に図１及び図２を用いて、本発明の温度感知素子の一例を説明する。図１は、本実施例に関する温度感知素子の一例を示す上面図であり、図２は、本実施例に関する温度感知素子の一例を示す断面図である。図に示すように、温度感知素子１は第１部材２１、第２部材２２、第３部材２３から構成されており、対象物３０の温度を検知することができる。第１部材２１、第２部材２２、第３部材２３は、上述のようなポリシロキサン樹脂とアルカンとの混合物として形成され、アルカンの融点の変態を利用することで、アルカンの融点より温度が高い場合は透明に、低い場合は白濁になるように表示状態が変化する。つまり、表示状態の変化として、視覚による色の変化により温度変化を感知可能となる。これにより、第１部材２１、第２部材２２、第３部材２３は、液体や気体など対象物の温度を感知することができる。
【００５３】
ここでは、第１部材２１と第２部材２２とが重なる重複面の面積が、第１部材２１が対象物３０に接触する接触面の面積より小さく形成されている。また、第２部材２２と第３部材２３とが重なる面の面積が、第１部材２１と第２部材２２とが重なる重複面の面積より小さく形成されている。また、第１部材２１が対象物３０に接触する接触面に垂直な方向から見て、第２部材２２は第１部材２１の内方に配置され、第３部材２３は第２部材２２の内方に配置されている。第１部材２１、第２部材２２、第３部材２３はそれぞれ感知温度が異なるため、それぞれの感知温度に応じて温度感知状態が異なり、温度変化の挙動が面積変化として把握することができる。例えば、熱伝導性が低い対象物等に本温度感知素子を貼り付けた場合は材料内部の位置によっても温度が異なることがあるが、本構成においては、材料取り付け領域内においても、異なる温度の温度変化状態を表示可能となる。つまり、異なる温度の変化状態を異なる位置で表示できる。このように、温度変化の把握がより容易となる。
【００５４】
ここで、第１部材２１に含まれるアルカンはｎ＝１４であり、第２部材２２に含まれるアルカンはｎ＝１６であり、第３部材２３に含まれるアルカンはｎ＝１８である。この組合せは一例であり、限定されるものでない。このとき、第１部材は６℃を超えると透明になり、第２部材は１８℃を超えると透明になり、第１部材は２９℃を超えると透明になるため、温度感知素子の下部に温度を示す模様等を表記しておけば、例えば飲料水等の温度が容易に把握できる。本実施の形態においては、上述のように、アルカンの炭素数を３つ（ｎ＝１４，１６，１８）選択して各々第１部材２１、第２部材２２、第３部材２３としたが、これに限定されることなく、炭素数を任意の４つ以上を選択し、当該それぞれの部材を上述のように積層して温度感知素子を構成することもできる。
【符号の説明】
【００５５】
１・・・温度感知素子  ２１・・・第１部材  ２２・・・第２部材  ２３・・・第３部材  ３０・・・対象物
【図１】
2014142250.tif 000009
【図２】
2014142250.tif 000010